(57)【要約】  【課題】コネクタが接続された検出手段を取付部に取付けることで、その検出手段とコネクタ間に接続不良が生じるのを確実に容易に防止できる遊技機を提供する。  【解決手段】磁気センサ１８に第１方向Ａ１から着脱可能に接続されたコネクタ３５と、コネクタ３５が接続された磁気センサ１８を第１方向Ａ１と直交する第２方向Ａ２から嵌込んで取付け可能なセンサ取付部４０と、センサ取付部４０の近傍部に設けられ、コネクタ３５が接続された磁気センサ１８のセンサ取付部４０への取付けを許容すると共に、磁気センサ１８がセンサ取付部４０に取付けられた状態でコネクタ３５を第１方向Ａ１に対して抜止めする抜止め部４５とを備えた。【選択図】  図４
2014221105.tif 000002
【特許請求の範囲】
【請求項１】
検出手段と、
前記検出手段に第１方向から着脱可能に接続されたコネクタと、
前記コネクタが接続された前記検出手段を取付け可能な取付部と、
前記取付部又はその近傍部に設けられ、前記検出手段が前記取付部に取付けられた状態で前記コネクタを前記第１方向に対して抜止めする抜止め部と、
を備えたことを特徴とする遊技機。
【請求項２】
検出手段と、
前記検出手段に第１方向から着脱可能に接続されたコネクタと、
前記コネクタが接続された前記検出手段を前記第１方向と直交する第２方向から嵌込んで取付け可能な取付部と、
前記取付部又はその近傍部に設けられ、前記コネクタが接続された前記検出手段の前記取付部への取付けを許容すると共に、前記検出手段が前記取付部に取付けられた状態で前記コネクタを前記第１方向に対して抜止めする抜止め部と、
を備えたことを特徴とする遊技機。
【請求項３】
前記取付部及び前記抜止め部が、遊技球が流下可能な遊技領域を形成する遊技盤の裏面側に設けられたことを特徴とする請求項１又は２に記載の遊技機。
【発明の詳細な説明】
【技術分野】
【０００１】
本発明は遊技機に関し、特に検出手段へのコネクタの接続、及び検出手段の取付けに関する技術である。
【背景技術】
【０００２】
従来、パチンコ遊技機等の遊技機には、磁気センサ、光学センサ等のセンサ（検出手段）がセンサ取付部に取付けられ、このセンサを制御系に結線するために、制御系側から延びるリード線にコネクタが接続され、このコネクタがセンサに着脱可能に挿入され接続されているものが多い。ここで、センサにコネクタを挿入して接続すると、センサとコネクタの一方に設けた係合爪が、センサとコネクタの他方に係合して、センサからコネクタを抜止めするコネクタ抜止め構造を採用する場合がある。
【０００３】
尚、特許文献１には、センサをベース部材に取付ける為のセンサ取付部材が開示され、このセンサ取付部材は、センサを保持した状態で、ベース部材への取付けをセンサの表裏の何れの方向からでも行い得るものである。
【先行技術文献】
【特許文献】
【０００４】
【特許文献１】特許第５１３１９９４号公報
【発明の概要】
【発明が解決しようとする課題】
【０００５】
遊技機において、センサを制御系に結線するために、センサにコネクタを単に挿入して接続するだけでは、センサがセンサ取付部に取付けられた状態で、コネクタに作用する何らかの力により、センサからコネクタが分離する（ここで、分離とは少なくともセンサとコネクタ間に電気的な接続不良が生じることを含む）虞がある。そこで、前記コネクタ抜止め構造を採用すると、上記課題は解消されても、センサやコネクタの構造が複雑になるし、センサに係る部品交換等のために、センサをセンサ取付部から取外し、また、センサからコネクタを分離させ取外す必要がある場合、その作業に手間がかかる。
【０００６】
また、センサ取付部やその周辺の構造により、センサがセンサ取付部に取付けられた状態では、そのセンサにコネクタを容易に着脱可能に接続できない場合がある。コネクタが接続されたセンサをセンサ取付部に取付けるようにすると、特に前記コネクタ抜止め構造を採用しない場合、そのセンサの取付け時にセンサからコネクタが分離し、或いは、分離している状態でセンサの取付けが行われ、センサ取付部に取付けられたセンサからコネクタが分離した状態に放置されることも十分に起こり得る。
【０００７】
本発の目的は前記課題を改善できる遊技機を提供することである。
【課題を解決するための手段】
【０００８】
第１の発明（遊技機(1) ）は、検出手段(18)と、前記検出手段(18)に第１方向(A1)から着脱可能に接続されたコネクタ(35)と、前記コネクタ(35)が接続された前記検出手段(18)を取付け可能な取付部(40/40C/40D)と、前記取付部(40/40C/40D)又はその近傍部に設けられ、前記検出手段(18)が前記取付部(40/40C/40D)に取付けられた状態で前記コネクタ(35)を前記第１方向(A1)に対して抜止めする抜止め部(45/45A/45B/45C/45D)とを備えたことを特徴とする。
【０００９】
第２の発明（遊技機(1) ）は、検出手段(18)と、前記検出手段(18)に第１方向(A1)から着脱可能に接続されたコネクタ(35)と、前記コネクタ(35)が接続された前記検出手段(18)を前記第１方向(A1)と直交する第２方向(A2)から嵌込んで取付け可能な取付部(40/40C/40D)と、前記取付部(40/40C/40D)又はその近傍部に設けられ、前記コネクタ(35)が接続された前記検出手段(18)の前記取付部(40/40C/40D)への取付けを許容すると共に、前記検出手段(18)が前記取付部(40/40C/40D)に取付けられた状態で前記コネクタ(35)を前記第１方向(A1)に対して抜止めする抜止め部(45/45A/45B/45C/45D)とを備えたことを特徴とする。
【００１０】
第３の発明は、第１又は第２の発明において、前記取付部(40/40C/40D)及び前記抜止め部(45/45A/45B/45C/45D)が、遊技球が流下可能な遊技領域(4a)を形成する遊技盤(4b)の裏面側に設けられたことを特徴とする。
【００１１】
本発明によれば、コネクタが接続された検出手段を取付部に取付けることで、その検出手段とコネクタ間に接続不良が生じるのを確実に容易に防止することができる。
【図面の簡単な説明】
【００１２】
【図１】本発明に係る実施例１のパチンコ遊技機の正面図である。
【図２】遊技盤の正面図である。
【図３】パチンコ遊技機の制御系のブロック図である。
【図４】センサ取付部、分解された磁気センサ、コネクタ等の後面側の斜視図である。
【図５】センサ取付部、磁気センサ等の後面図である。
【図６】センサ取付部等の後面図である。
【図７】図５のVII −VII 線断面図である。
【図８】図７のVIII−VIII線断面図である。
【図９】図７のIX−IX線断面図である。
【図１０】実施例２の図４相当図である。
【図１１】実施例３の図７相当図である。
【図１２】図１１のXII −XII 線断面図である。
【図１３】実施例４の図７相当図である。
【図１４】図１３のXIV −XIV 線断面図である。
【図１５】図１３の抜止め部が退避位置にある状態の図である。
【図１６】実施例５の図７相当図である。
【図１７】図１６のXVII−XVII線断面図である。
【発明を実施するための形態】
【００１３】
以下、発明を実施するための形態について実施例に基づいて説明する。
【実施例１】
【００１４】
図１、図２に示すように、パチンコ遊技機１には、遊技ホールの島構造に取付けられる外枠（図示略）に開閉枠２（内枠２）が開閉自在に装着され、開閉枠２に開閉扉３が開閉自在に装着されている。開閉扉３に窓３ａが形成され、その窓３ａに透明板３ｂが装着されている。開閉枠２の左端部に開閉扉３の左端部が鉛直軸心回りに回動自在に支持され、開閉扉３の右端部に、開閉扉３を開閉枠２に施錠するキーシリンダ３ｃが装着されている。開閉枠２に遊技盤４が装着され、遊技盤４とその前側の透明板３ｂとの間に遊技球が流下可能な遊技領域４ａが形成され、この遊技領域４ａが開閉扉３により開閉される。
【００１５】
開閉扉３には、窓３ａの下側に遊技球を貯留する上皿５ａと下皿５ｂとを有する皿ユニット５が設けられ、その皿ユニット５に遊技者が操作可能な演出ボタンＳＷ６（「ＳＷ」はスイッチを意味する）と発射ハンドル７とが装着されている。発射ハンドル７が回動操作されると、上皿５ａから発射位置に導入された遊技球が発射され、上皿５ａに複数の遊技球が貯留されている場合には、複数の遊技球が約0.6 秒間隔で連続発射される。発射された遊技球はガイドレール８で案内され遊技領域４ａの上部に導入される。
【００１６】
図２、図３に示すように、遊技領域４ａには、多数の障害釘４ｂの他に、非開閉式の第１始動口１０と、開閉式の第２始動口１１ａを有する始動口装置１１と、ゲート１２と、開閉式の大入賞口１３ａを有する大入賞口装置１３と、複数（４つ）の一般入賞口１４とが、夫々遊技球が通過（入賞）可能に図示の配置で設けられている。第１始動口１０、ゲート１２、複数の一般入賞口１４には、夫々、そこに入賞した遊技球を検出する第１始動口ＳＷ１０ａ、ゲートＳＷ１２ａ、複数の一般入賞口ＳＷ１４ａが付設されている。
【００１７】
始動口装置１１は、第２始動口１１ａと、第２始動口１１ａを開閉する開閉部材１１ｂと、第２始動口１１ａに入賞した遊技球を検出する第２始動口ＳＷ１１ｃと、開閉部材１１ｂを開閉駆動する第２始動口ＳＯＬ１１ｄ（「ＳＯＬ」はソレノイドアクチュエータを意味する）とを有し、第２始動口１１ａは、通常は遊技球が入賞し難い（入賞不可能な）閉状態になり、この閉状態と遊技球が入賞し易い開状態とに作動し得る。
【００１８】
大入賞口装置１３は、大入賞口１３ａと、大入賞口１３ａを開閉する開閉部材１３ｂと、大入賞口１３ａに入賞した遊技球を検出する大入賞口ＳＷ１３ｃと、開閉部材１３ｂを開閉駆動する大入賞口ＳＯＬ１３ｄとを有し、大入賞口１３ａは、通常は遊技球が入賞し難い（入賞不可能な）閉状態になり、この閉状態と遊技球が入賞し易い開状態とに作動し得る。
【００１９】
遊技領域４ａに発射された遊技球が、入賞口１０，１１ａ，１３ａ，１４の何れかに入賞した場合、遊技球１個の入賞につき入賞口１０，１１ａ，１３ａ，１４毎に設定された数（数個〜10数個）の遊技球が賞球として上皿５ａに払出され、上皿５ａが遊技球で満杯の場合には下皿５ｂに払出される。遊技球が入賞口１０，１１ａ，１３ａ，１４の何れにも入賞しなかった場合、最終的に排出口９から遊技領域４ａの外部へ排出される。
【００２０】
遊技球が始動口１０，１１ａに入賞した場合には大当り抽選が行われ、その大当り抽選で当選すると、大入賞口１３ａが開放する特別遊技（大当り遊技）が発生し、遊技球がゲート１２を通過した場合には当り抽選が行われ、その当り抽選で当選すると、第２始動口１１ａが開放する補助遊技が発生する。
【００２１】
遊技盤４にはセンタ役物１５が設けられ、このセンタ役物１５に遊技演出用の画像表示装置１６と可動役物装置１７とが装備されている。センタ役物１５は、その枠体１５ａが遊技盤４に比較的大きく形成されたセンタ開口部（図示略）に嵌合装着され、その枠体１５ａの下部には遊技球が転動するステージ１５ｂが形成されている。画像表示装置１６は、その画面をパチンコ遊技機１の前側からセンタ役物１５の枠体１５ａの内側を通して視認可能に配置されている。
【００２２】
遊技盤４の裏面側には複数の磁気センサ１８が設けられている。複数の磁気センサ１８は、遊技者が磁石により金属製の遊技球を吸い寄せて、入賞口１０，１１ａ，１３ａ，１４に入賞させようとする不正行為を、その磁石の磁気（磁力）により検知するものであり、そのうちの１つの磁気センサ１８（検出手段１８）は、第２始動口１１ａの上方近傍位置に配置されている。尚、この磁気センサ１８に関しては後で詳しく説明する。
【００２３】
遊技盤４の左下部に遊技表示盤１９が設けられ、この遊技表示盤１９は、第１特図表示器１９ａ、第２特図表示器１９ｂ、普図表示器１９ｃ、第１特図保留ランプ１９ｄ、第２特図保留ランプ１９ｅ、普図保留ランプ１９ｆを備えている。
【００２４】
第１特図表示器１９ａには第１特別図柄が変動可能に表示され、第１特図保留ランプ１９ｄには第１特図保留数が表示され、その第１特図保留数は４未満の場合に第１始動口１０に遊技球が入賞する毎に１加算される。第２特図表示器１９ｂには第２特別図柄が変動可能に表示され、第２特図保留ランプ１９ｅには第２特図保留数が表示され、その第２特図保留数は４未満の場合に第２始動口１１ａに遊技球が入賞する毎に１加算される。
【００２５】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第１特図保留数に関わらず、第２特図保留数が１減算されて第２特別図柄が変動開始され、その後の停止図柄で大当り抽選の結果が表示される。
【００２６】
普図表示器１９ｃには普通図柄が変動可能に表示され、普図保留ランプ１９ｆには普図保留数が表示され、その普図保留数は４未満の場合にゲート１２を遊技球が通過する毎に１加算される。普通図柄が変動停止状態で、普図保留数が１以上の場合、普図保留数が１減算されて普通図柄が変動開始され、その後の停止図柄で当り抽選の結果が表示される。
【００２７】
画像表示装置１６には、特図表示器１９ａ，１９ｂに特別図柄が変動表示されているときには、大当り抽選で当選する期待度を示唆する図柄変動演出が表示され、特別遊技が行われているときには、特別遊技を盛り上げる特別遊技演出が表示される。
【００２８】
パチンコ遊技機１の制御系について説明する。
図５に示すように、制御装置２０は、遊技制御基板２１、払出制御基板２２、演出制御基板２３、画像制御基板２４、ランプ制御基板２５を備え、これら制御基板２１〜２５に夫々ＣＰＵとＲＯＭとＲＡＭを含むコンピュータを備えて構成され、演出制御基板２３は更にＲＴＣ（「ＲＴＣ」はリアルタイムクロックを意味する）を備えている。
【００２９】
遊技制御基板２１のコンピュータは、第１，第２始動口ＳＷ１０ａ，１１ｃ、ゲートＳＷ１２ａ、大入賞口ＳＷ１３ｃ、複数の一般入賞口ＳＷ１４ａ、複数の磁気センサ１８からの信号、払出制御基板２２からの制御情報（コマンド）を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２２、演出制御基板２３に制御情報を出力する。
【００３０】
払出制御基板２２のコンピュータは、遊技制御基板２１からの制御情報、払出球検出ＳＷ２６ｂ、球有り検出ＳＷ２６ｃ、満タン検出ＳＷ２６ｄからの信号を受けて、払出モータ２６ａを制御し、遊技制御基板２１に制御情報を出力する。演出制御基板２３のコンピュータは、遊技制御基板２１、画像制御基板２４、ランプ制御基板２５からの制御情報、演出ボタンＳＷ６からの信号を受けて、画像制御基板２４、ランプ制御基板２５に制御情報を出力する。
【００３１】
画像制御基板２４のコンピュータは、演出制御基板２３からの制御情報を受けて、画像表示装置１６、スピーカ２７を制御し、演出制御基板２３に制御情報を出力する。ランプ制御基板２５のコンピュータは、可動役物装置１７（原点ＳＷ）からの信号、演出制御基板２３からの制御情報を受けて、可動役物装置１７（電動モータ）、枠ランプ２８ａ、盤ランプ２８ｂを制御し、演出制御基板２３に制御情報を出力する。
【００３２】
ここで、遊技制御基板２１のコンピュータにおいて、磁気検出センサ１８により磁気が検出され、不正行為が発生したと判断されると、磁気検出信号（不正発生信号）が演出制御基板２３に出力される。演出制御基板２３のコンピュータは、その磁気検出信号を受けると、画像制御基板２４のコンピュータを介して、画像表示装置１６に不正発生画面を表示させたり、スピーカ２７から不正発生音を出力させたりする。
【００３３】
磁気センサ１８に関して詳細に説明する。
図２、図４〜図９に示すように、磁気センサ１８は、前記のように、第２始動口１１ａの上方近傍位置に配置されて、遊技者が磁石により遊技球を吸い寄せて、第２始動口１１ａに入賞させようとする不正行為を、その磁石の磁気により検知する。ここで、センタ役物１５には、始動口装置１１及びその周辺において、遊技盤４ａの一部を形成する盤面形成部１５ｃが設けられ、この盤面形成部１５ｃに始動口装置１１とゲート１２が装着されると共に、盤面形成部１５ｃの裏面部に磁気センサ１８が装着されている。
【００３４】
この磁気センサ１８を制御装置２０（遊技制御基板２１）に結線するために、制御装置２０側から延びる複数（３本）のリード線３０の端部にコネクタ３５が接続され、このコネクタ３５が磁気センサ１８に第１方向Ａ１から着脱可能に挿入され接続されている。盤面形成部１５ｃの裏面部に、コネクタ３５が接続された磁気センサ１８を、第１方向Ａ１と直交する第２方向Ａ２から嵌込んで取付け可能なセンサ取付部４０が設けられている。
【００３５】
ここで、第２方向Ａ２はセンサ取付部４０の後側において前方へ向かう方向であり、磁気センサ１８がセンサ取付部４０に取付けられた状態で、第１方向Ａ１は上下方向になり、コネクタ３５は磁気センサ１８に下方から挿入され接続された状態になる。
【００３６】
盤面形成部１５ｃの裏面部には、センサ取付部４０の近傍部に、コネクタ３５が接続された磁気センサ１８のセンサ取付部４０へ取付け及びセンサ取付部４０からの取外しを許容すると共に、磁気センサ１８がセンサ取付部４０に取付けられた状態でコネクタ３５を磁気センサ１８から下方へ（第１方向Ａ１に対して）抜止めする左右２つの抜止め部４５が設けられている。尚、２つの抜止め部４５をセンサ取付部４０に属するものとし、即ちセンサ取付部４０に設けることにしてもよい。
【００３７】
磁気センサ１８は矩形ブロック状に形成され、この磁気センサ１８に下端側に開口するコネクタ差込口１８ａが形成されている。コネクタ３５は、磁気センサ１８にコネクタ差込口１８ａから挿入され、磁気センサ１８に完全に（電気的に）接続されると、磁気センサ１８から下方へ少し突出した状態になる。複数のリード線３０は、コネクタ３５の下端の左右方向中央部に上下一列に配列された状態で繋がれている。
【００３８】
尚、磁気センサ１８とコネクタ３５には、磁気センサ１８にコネクタ３５が挿入され接続されると、磁気センサ１８とコネクタ３５の一方に設けた係合爪が磁気センサとコネクタ３５に他方に係合して、磁気センサ１８からコネクタ３５を抜止めするコネクタ抜止構造は設けられていない。
【００３９】
センサ取付部４０は、磁気センサ１８の前端部が当接する前壁４０ａと、磁気センサ１８の周面部が当接する周壁４０ｂ〜４０ｅ（上壁４０ｂ、下壁４０ｃ、側壁４０ｄ，４０ｅ）とを有し、この前壁４０ａと周壁４０ｂ〜４０ｅにより、磁気センサ１８を第２方向Ａ２から嵌込んで取付け可能に形成されている。下壁４０ｃには、磁気センサ１８に接続されたコネクタ３５のうち、磁気センサ１８から下方へ突出する部分を挿入可能な切欠穴４０ｆが形成されている。尚、前壁４０ａと周壁４０ｂ〜４０ｅは盤面形成部１５ｃに一体形成されている。
【００４０】
センサ取付部４０には、このセンサ取付部４０に取付けられた磁気センサ１８を固定解除可能に固定する係合爪４１が設けられている。センサ取付部４０の側壁４０ｄは一部切欠かれており、そこに係合爪４１が配設されている。係合爪４１は、盤面形成部１５ｃに一体的に且つ弾性変形可能に設けられている。
【００４１】
磁気センサ１８をセンサ取付部４０に第２方向Ａ２から取付ける際、係合爪４１は磁気センサ１８により押されて弾性変形し、磁気センサ１８がセンサ取付部４０に取付けられると、その係合爪４１が復帰して磁気センサ１８の上端部に係合して、磁気センサ１８がセンサ取付部４０に固定される。
【００４２】
２つの抜止め部４５は、センサ取付部４０の下壁４０ｃの下側に配置されている。具体的に、２つの抜止め部４５は、磁気センサ１８の上端と磁気センサ１８に完全に接続されたコネクタ３５の下端間の距離、若しくはその距離よりも僅かに長い距離、センサ取付部４０の上壁４０ｂから下方へ隔てた位置に、且つ左右方向に間隔を空けて配置されている。２つの抜止め部４５は、盤面形成部１５ｃに一体的に設けられている。
【００４３】
２つの抜止め部４５は、盤面形成部１５ｃから後方へ延び、後端がコネクタ３５の後端よりも後方に位置して、コネクタ３５に接続された複数のリード線３０と干渉しないように、コネクタ３５の下端の左右両側部分が上側から当接可能に設けられている。２つの抜止め部４５の間は、磁気センサ１８を第２方向Ａ２からセンサ取付部４０に取付ける際、及び取付けた状態で、複数のリード線３０が抜止め部４５に干渉しないように挿入されるリート線挿入間隙４５ａになる。
【００４４】
前記のセンサ取付部４０、抜止め部４５による作用効果について説明する。
磁気センサ１８へのコネクタ３５の接続、磁気センサ１８のセンサ取付部４０への取付けについては次のように行われる。
【００４５】
先ず、磁気センサ１８をセンサ取付部４０から取外した状態で、コネクタ３５を磁気センサ１８に差込穴１８ａから差込んで接続する。ここで、第１方向Ａ１は、磁気センサ１８の姿勢で決められるが、磁気センサ１８にコネクタ３５を接続し易い任意の方向に向けられる。
【００４６】
次に、コネクタ３５が接続された磁気センサ１８を第２方向Ａ２からセンサ取付部４０に嵌込んで取付ける。その際、磁気センサ１８は、その周面部がセンサ取付部４０の周壁４０ｂ〜４０ｅに当接してガイドされながらセンサ取付部４０に嵌込まれ、これにより、磁気センサ１８に完全に接続されたコネクタ３５は抜止め部４５に干渉しないので、磁気センサ１８のセンサ取付部４０への取付けが許容される。
【００４７】
但し、磁気センサ１８にコネクタ３５が完全に接続されていない場合、即ち磁気センサ１８とコネクタ３５間に接続不良が生じている場合、コネクタ３５は磁気センサ１８から正常な場合よりも大きく下方へ突出するので、このコネクタ３５が抜止め部４５に干渉して、磁気センサ１８のセンサ取付部４０への取付けが許容されない。これにより、磁気センサ１８とコネクタ３５間の接続不良を知ることができる。
【００４８】
磁気センサ１８にコネクタ３５が完全に接続されている場合、磁気センサ１８の前端部がセンサ取付部４０の前壁４０ｄに当接して、磁気センサ１８のセンサ取付部４０への取付けが完了し、ここで、磁気センサ１８のセンサ取付部４０への取付け途中に弾性変形した係合爪４２ａが復帰し磁気センサ１８の上面に係合して、この係合爪４２ａにより磁気センサ１８がセンサ取付部４０に固定される。
【００４９】
磁気センサ１８がセンサ取付部４０に取付けられると、コネクタ３５の下端近傍に２つの抜止め部４５が位置し、この２つの抜止め部４５により、磁気センサ１８からコネクタ３５が下方へ（第１方向Ａ１に対して）抜止めされる。
【００５０】
また、磁気センサ１８がセンサ取付部４０に取付けられ係合爪４１により固定され状態から、その磁気センサ１８やそれに関連する部材の部品交換等のために、磁気センサ１８をセンサ取付部４０から取外し、また、磁気センサ１８からコネクタ３５を分離させ取外す必要がある場合、係合爪４１を操作して、磁気センサ１８から係合解除させることで、磁気センサ１８をセンサ取付部４０から固定解除して取外してから、磁気センサ１８からコネクタ３５を容易に取外すことができる。
【００５１】
さて、このパチンコ遊技機１においては、磁気センサ１８と制御装置２０とを結線するために、磁気センサ１８にコネクタ３５が着脱可能に接続されるが、磁気センサ１８からコネクタ３５が分離すると、パチンコ遊技機１の正常な制御が行われなくなる。即ち、磁気センサ１８は、遊技者が磁石により金属製の遊技球を吸い寄せて、第２始動口１１ａに入賞させようとする不正行為を、その磁石の磁気により検知するので、その磁気検知が不能になると、不正行為により多大な被害を受ける虞が生じる。
【００５２】
本発明によれば、前記センサ取付部４０と抜止め部４５とを設けたので、磁気センサ１８とコネクタ３５に前記コネクタ抜止め構造を設けなくても、磁気センサ１８とコネクタ３５とを接続した後、その磁気センサ１８をセンサ取付部４０に取付けるだけで、抜止め部４５によりコネクタ３５を抜止めして、センサ取付部４０に取付けられた磁気センサ１８からコネクタ３５が分離するのを確実に容易に防止することができる。
【００５３】
工場等において、パチンコ遊技機１を組立てる際、例えば、磁気センサ１８をセンサ取付部４０に取付けた後に、その周辺構造や周辺機器を組付けるときに、また、パチンコ遊技機１を組立てた後に各種試験を行う場合には、その際にも、リード線３０が引っ張られることがよくあるが、コネクタ３５が接続された磁気センサ１８をセンサ取付部４０に取付けた状態では、リード線３０が引っ張られても、抜止め部４５により磁気センサ１８からコネクタ３５が分離するのを確実に防止することができる。
【００５４】
しかも、磁気センサ１８からコネクタ３５が分離している状態では、コネクタ３５が抜止め部４５に干渉して、磁気センサ１８のセンサ取付部４０への取付けが許容されないので、つまり、磁気センサ１８からコネクタ３５が分離している状態で磁気センサ１８がセンサ取付部４０に取付けられるのを未然に防止することができる。尚、２つの抜止め部４５の一方を省略可能である。
【００５５】
尚、その他の１又は複数の磁気センサ１８に関しても、前記同様の取付部４０、抜止め部４５を設けて、磁気センサ１８にコネクタ３５を第１方向Ａ１から着脱可能に接続し、コネクタ３５が接続された磁気センサ１８を第１方向Ａ１と直交する第２方向Ａ２からセンサ取付部４０に嵌込んで取付け可能にし、抜止め部４５により、コネクタ３５が接続された磁気センサ１８のセンサ取付部４０への取付けを許容すると共に、磁気センサ１８がセンサ取付部４０に取付けられた状態でネクタ３５を第１方向Ａ１に対して抜止めするようにしてもよい。
【００５６】
次に、実施例１を部分に変更した別の実施例について説明する。但し、前記実施例と基本的に同じものには同一符号を付して説明を省略する。
【実施例２】
【００５７】
図１０に示すように、盤面形成部１５ｃの裏面部には、センサ取付部４０の近傍部（又はセンサ取付部４０）に、磁気センサ１８がセンサ取付部４０に取付けられた状態でコネクタ３５を磁気センサ１８から下方へ（第１方向Ａ１に対して）抜止めする左右２つの着脱式の抜止め部４５Ａが設けられている。
【００５８】
この２つの抜止め部４５Ａは、盤面形成部１５ｃに着脱可能に取付けられ、そのために、例えば、２つの抜止め部４５Ｂの前端部には夫々連結ピン（図示略）が設けられ、盤面形成部１５ｃには２つの抜止め部４５Ｂの連結ピンが夫々圧入される２つのピン穴が形成されている。
【００５９】
２つの抜止め部４５Ａは、盤面形成部１５ｃに取付けられた状態で、実施例１の２つの抜止め部４５と同等の構造になり同機能を有するが、２つの抜止め部４５Ａを盤面形成部１５ｃから取外した状態で、コネクタ３５が装着された磁気センサ１８をセンサ取付部４０に第２方向Ａ２から取付けることができ、その後、２つの抜止め部４５Ａを盤面形成部１５ｃに取付けることができる。
【００６０】
或いは、２つの抜止め部４５Ａを盤面形成部１５ｃから取外した状態で、コネクタ３５が取外された磁気センサ１８をセンサ取付部４０に第２方向Ａ２から取付けてから、磁気センサ１８にコネクタ３５を接続し、その後、２つの抜止め部４５Ａを盤面形成部１５ｃに取付けることができる。
【００６１】
また、センサ取付部４０の下壁４０ｃを省略することで、２つの抜止め部４５Ａを盤面形成部１５ｃから取外した状態で、磁気センサ１８をセンサ取付部４０に第２方向Ａ２以外の方向から、例えば、後方斜め下側から取付け可能になり、磁気センサ１８をセンサ取付部４０に取付け後、２つの抜止め部４５Ａを盤面形成部１５ｃに取付けることで、コネクタ３５を下方へ（第１方向Ａ１に対して）抜止めすることができる。尚、２つの抜止め部４５Ａの一方を省略可能である。
【実施例３】
【００６２】
図１１、図１２に示すように、盤面形成部１５ｃには、センサ取付部４０の近傍部（又はセンサ取付部４０）に、磁気センサ１８がセンサ取付部４０に取付けられた状態でコネクタ３５を磁気センサ１８から下方へ（第１方向Ａ１に対して）抜止めする１つの抜止め部４５Ｂが設けられている。
【００６３】
この抜止め部４５Ｂは、実施例１と同様、盤面形成部１５ｃに一体的に設けられて、盤面形成部１５ｃから後方へ延びる矩形板状に形成され、コネクタ３５が接続された磁気センサ１８のセンサ取付部４０へ取付け及びセンサ取付部４０からの取外しを許容すると共に、磁気センサ１８がセンサ取付部４０に取付けられた状態でコネクタ３５を磁気センサ１８から下方へ（第１方向Ａ１に対して）抜止めするものである。
【００６４】
抜止め部４５Ｂは、コネクタ３５に接続された複数のリード線３０と干渉しないように、コネクタ３５の下端の前側部分が上側から当接可能に設けられている。この抜止め部３５Ｂによれば、実施例１と同様の効果を奏する。尚、抜止め部３５Ｂを盤面形成部１５ｃに着脱可能に取付けてもよい。この場合、実施例２と同様の効果を奏する。尚、抜止め部４５Ｂの代わりに、コネクタ３５の下端の前側部分且つ左右両側部分が上側から当接可能な２つの抜止め部を設けてもよい。
【実施例４】
【００６５】
図１３〜図１５に示すように、盤面形成部１５ｃには、センサ取付部４０Ｃの近傍部（又はセンサ取付部４０Ｃ）に、磁気センサ１８がセンサ取付部４０Ｃに取付けられた状態でコネクタ３５を磁気センサ１８から下方へ（第１方向Ａ１に対して）抜止めする１つの可動式の抜止め部４５Ｃが設けられている。センサ取付部４０Ｃは、実施例１のセンサ取付部４０において下壁３０ｃを省略した構造になっている。
【００６６】
この抜止め部４５Ｃは、センタ役物１５の盤面形成部１５ｃに作動位置（図１３、図１４）と退避位置（図１５）とに亙って前後方向へ可動に装着され、作動位置にある状態で、抜止め部４５Ｃの主要部が、コネクタ３５に接続された複数のリード線３０と干渉しないように、コネクタ３５の下端の前側部分が上側から当接可能になり、実施例３の抜止め部４５Ｂと同等の構造になり同機能を有する。
【００６７】
盤面形成部１５ｃには、抜止め部４５Ｃを前後方向へガイドするガイド部１５ｄが設けられている。ガイド部１５ｄに抜止め部４５Ｃが前後方向へ貫通して移動自在に摺動する貫通孔１５ｅが形成され、抜止め部４５Ｃの前端部に、ガイド部１５ｄに前側から係合する鍔部４５ｃ１が形成されている。この抜止め部４５Ｃはバネ５０により作動位置（後方）へ付勢され、通常、抜止め部４５Ｃの鍔部４５ｃ１がガイド部１５ｄに係合して、抜止め部４５Ｃは作動位置になる。
【００６８】
磁気センサ１８をセンサ取付部４０Ｃに取付ける際、磁気センサ１８により抜止め部４５Ｃを押動して退避位置へ移動させながら、磁気センサ１８をセンサ取付部４０Ｃに取付けることができ、故に、磁気センサ１８をセンサ取付部４０に第２方向Ａ２以外の方向から、例えば、下方から上方へスライドさせるように取付け可能になる。磁気センサ１８がセンサ取付部４０Ｃに取付けられると、抜止め部４５Ｃが作動位置に復帰し、この抜止め部４５Ｃにより、コネクタ３５を磁気センサ１８から下方へ（第１方向Ａ１に対して）抜止めすると共に、磁気センサ１８が下方移動しないように、磁気センサ１８をセンサ取付部４０Ｃに保持することができる。
【実施例５】
【００６９】
図１６、図１７に示すように、盤面形成部１５ｃには、センサ取付部４０Ｄの近傍部（又はセンサ取付部４０Ｄ）に、磁気センサ１８がセンサ取付部４０Ｄに取付けられた状態でコネクタ３５を磁気センサ１８から下方へ（第１方向Ａ１に対して）抜止めする１つの弾性変形可能な抜止め部４５Ｄが設けられている。
【００７０】
センサ取付部４０Ｄは、実施例４のセンサ取付部４０Ｃと同構造であり、抜止め部４５Ｄは、盤面形成部１５ｃに固定され、弾性変形していない状態で、実施例３の抜止め部４５Ｂと同等の構造になり同機能を有する。磁気センサ１８をセンサ取付部４０Ｄに取付ける際、磁気センサ１８により抜止め部４５Ｄを押動して弾性変形させながら、磁気センサ１８をセンサ取付部４０Ｄに取付けることができ、故に、磁気センサ１８をセンサ取付部４０Ｄに第２方向Ａ２以外の方向から、例えば、後方斜め下側から取付け可能になる。
【００７１】
磁気センサ１８がセンサ取付部４０Ｄに取付けられると、抜止め部４５Ｄが元の形状に復帰し、この抜止め部４５Ｄにより、コネクタ３５を磁気センサ１８から下方へ（第１方向Ａ１に対して）抜止めすると共に、磁気センサ１８が下方移動しないように、磁気センサ１８をセンサ取付部４０Ｃに保持することができる。尚、抜止め部４５Ｄの代わりに、コネクタ３５の下端の前側部分且つ左右両側部分が上側から当接可能な２つの弾性変形可能な抜止め部を設けてもよい。
【００７２】
その他、本発明の趣旨を逸脱しない範囲において、実施例１〜５の各実施例に種々の変更を付加して実施可能であり、この場合、各実施例の任意の構成と他の１又は複数の実施例の任意の構成とを可能であれば組合せて実施してもよい。また、例えば、磁気センサ以外のセンサ類（センサ、スイッチ）にコネクタを接続し、そのセンサ類をセンサ取付部に取付ける構造に、本発明を適用することができる。また、本発明については、その他の種々のパチンコ遊技機、或いは、スロットマシン等の種々の遊技機に適用可能である。
【符号の説明】
【００７３】
１  パチンコ遊技機
４ａ  遊技領域
１８  磁気センサ（検出手段）
３５  コネクタ
４０，４０Ｃ，４０Ｄ  センサ取付部（取付部）
４５，４５Ａ，４５Ｂ，４５Ｃ，４５Ｄ  抜止め部
【図１】
2014221105.tif 000003
【図２】
2014221105.tif 000004
【図３】
2014221105.tif 000005
【図４】
2014221105.tif 000006
【図５】
2014221105.tif 000007
【図６】
2014221105.tif 000008
【図７】
2014221105.tif 000009
【図８】
2014221105.tif 000010
【図９】
2014221105.tif 000011
【図１０】
2014221105.tif 000012
【図１１】
2014221105.tif 000013
【図１２】
2014221105.tif 000014
【図１３】
2014221105.tif 000015
【図１４】
2014221105.tif 000016
【図１５】
2014221105.tif 000017
【図１６】
2014221105.tif 000018
【図１７】
2014221105.tif 000019